(57)【要約】  【課題】誰でも手摺りの必要性、便利さを認識することができ、かつ意匠性に優れた手摺り機能付き玄関収納を提供することを課題とする。【解決手段】玄関の床面と土間床の境界における壁面に備えられている収納の側面に縦方向に連続する手摺部が形成されていることを特徴とする手摺り機能付き玄関収納であって、手摺部が収納の両側面から張り出した突起部により形成されている。突起部は、玄関収納の前面にあり蝶番で開閉自在に取り付けられた開き戸と開き戸を閉めた状態で玄関収納部本体部の側端部にある鉤部とからなる。【選択図】    図７
2008144414.tif 000002
【特許請求の範囲】
【請求項１】
玄関ホールに備えられる収納の側面に縦方向に連続する手摺部が形成されていることを特徴とする手摺り機能付き玄関収納。
【請求項２】
前記手摺部が収納の両側面から張り出した突起部からなることを特徴とする請求項１に記載の手摺り機能付き玄関収納。
【請求項３】
前記収納が玄関の床面と土間床の境界における壁面に備えられていることを特徴とする請求項１または２に記載の手摺り機能付き玄関収納。
【発明の詳細な説明】
【技術分野】
【０００１】
本発明は、住宅の玄関に設置される手摺り機能付きの収納に関する。
【背景技術】
【０００２】
バリヤフリー技術やユニバーサルデザイン技術といった高齢者や身体の不自由な人にとって暮らし易い様々な技術が近年提案されている。
【０００３】
住宅の玄関は、靴を履く、靴を脱ぐ、上がり框を上がる、下がる、しゃがみこむ、立ち上がるといった動作が生じる場所であり、不安定な姿勢のときに身体を支えたり手がかりを必要とすることは、高齢者や身体の不自由な人ばかりでなく、健常者や幼年者にとっても必要なことである。このため、動作を補助するために図８に示す縦型の手摺りを玄関部に設置することが広く行われている。
【０００４】
【特許文献１】特開平８−４９３８１号公報
【発明の開示】
【発明が解決しようとする課題】
【０００５】
しかし、健常者や幼年者には縦型の手摺りの必要性が認識されておらず、また高齢者や身体が不自由な人にとってもその認識の程度は低く、認識されていたとしても住宅内に手摺りを設けることは設置スペース、意匠性などの問題により設置されないことが多い。
【０００６】
本発明は、以上のような問題に鑑み誰でも手摺りの必要性、便利さを認識することができ、かつ意匠性に優れた手摺り機能付き玄関収納を提供することを目的とする。
【課題を解決するための手段】
【０００７】
上記の課題は、玄関ホールに備えられる収納の側面に縦方向に連続する手摺部が形成されていることを特徴とする手摺り機能付き玄関収納により解決される。
【０００８】
この手摺り機能付き玄関収納では、玄関ホールに備えられる収納部の側面に沿って縦方向に連続する手摺り部が形成されているため、手摺りという機能を実現するため玄関部に新たな手摺りを設置する必要がなく、玄関部に設けられた収納と相まって意匠的にも玄関部をすっきりとしたものとすることができる。
【０００９】
また、手摺部が収納の両側面から張り出した突起部からなっているとよい。
【００１０】
手摺部が収納の両側面から張り出した突起部からなっているので、手摺りへの手の保持性が向上し、人が手摺りを握るときしっかりと握ることができ安全性が向上する。
【００１１】
また、この手摺り機能付き玄関収納が玄関ホールの床面と土間床の境界における壁面に備えられていればよい。
【００１２】
手摺り機能付き玄関収納が玄関ホールの床面と土間床の境界における壁面に備えられていることで、靴を履く、靴を脱ぐ、上がり框を上がる、下がる、しゃがみこむ、立ち上がるといった動作が最も頻繁に行われ、手摺りが最も求められる場所で手摺りを提供することができる。
【発明の効果】
【００１３】
本発明は以上のとおりであるから、玄関ホールに備えられる収納部の側面に沿って縦方向に連続する手摺り部が形成されているため、手摺りという機能を実現するため玄関に新たな手摺りを設置する必要がなく、玄関部に設けられた収納と相まって意匠的にも玄関部をすっきりとしたものとすることができる。
【発明を実施するための最良の形態】
【００１４】
次に、本発明の実施最良形態を図面に基づいて説明する。
【００１５】
図１に示す実施形態において、１は手摺り機能付き玄関収納、２は玄関、３は玄関の床面、４は土間床、５は上がり框、６は玄関ドアである。
【００１６】
手摺り機能付き玄関収納１は図２、図３に示すように玄関収納本体部７と開き戸９からなっており、玄関の壁面１１にビス等により取り付けられている。玄関収納本体部７は平面視略コの字型で鉛直方向に伸びる枠体とその上下を塞ぐ上板と下板とからなる。玄関収納本体部７の前面には開き戸９が蝶番１０により開閉自在に取り付けられている。開き戸９を閉めた状態で玄関収納部本体部７の左右それぞれの側端部にある鉤部８と開き戸９の端部が一体となって突起部を形成し、手摺り機能付き玄関収納１の手摺部１２、１２を形成している。
【００１７】
手摺り機能付き玄関収納１は図１に示すように、住宅の玄関における玄関の床面と土間床の境界における壁面に備えられているため、収納として玄関に置いておくと便利なキーホルダーや印鑑などの収納として使えるとともに、図４に示すように手摺り機能付き玄関収納１の側面に形成された手摺部１２により玄関での手摺として利用することができる。
【００１８】
この玄関手摺りでは、玄関ホールに備えられる収納部の側面に沿って縦方向に連続する手摺り部が形成されているため、手摺りという機能を実現するため玄関部に新たに手摺りを設置する必要がなく、玄関部に設けられた収納と相まって意匠的にも玄関部をすっきりとしたものとすることができる。
【００１９】
次に手摺り機能付き玄関収納１の内部について説明する。図５に示すように縦長の形態をしている手摺り機能付き玄関収納１の内部は数段からなっている。
【００２０】
上段には収納ボックス１４が取り付けられている。収納ボックス１４は収納ボックス１４の前面下端部に挿通された軸１５により、軸１５まわりに回動可能に取り付けられており、収納ボックス１４の後面下端部は図示しないが玄関収納本体部７の内壁面に設けられた突起により支持されている。
【００２１】
収納ボックス１４内に収納された小物類を取り出すときは図５（ロ）に示すように収納ボックス１４を軸１５まわりに回動させることにより、収納ボックス１４内に収納された小物類を容易に探し出し、取り出すことができる。
【００２２】
中段にはフック１６が取り付けられキーホルダーなど小物類１７を吊るすことができる。
【００２３】
下段は傘収納スペースとなっており、傘の柄を引っ掛けて傘２０を吊り下げることができる吊り具１８が吊り具支持材１９により回動可能に玄関収納本体部７の内壁面に取り付けられている。
【００２４】
普段は図５（イ）に示すように、傘２０を吊り具に吊り下げて収納することができる。そして、雨に濡れた傘がある場合には、図５（ロ）に示すように手摺り付き玄関収納１の開き戸９を開け、吊り具１８を吊り具支持材１９まわりに回動させた状態で傘２０を吊り下げることにより、収納内部を濡らすことなく、傘を乾燥させることができる。傘が乾燥した後は、通常の収納状態で傘をしまっておけることはいうまでもない。
【００２５】
次に、手摺り機能付き玄関収納１の使用方法について説明する。
【００２６】
玄関で行われる人のさまざまな動作のうち、図６に示す玄関における人が行う各動作について（イ）は靴を履く（脱ぐ）ところ、（ロ）は玄関の土間床から玄関ホールの床面へと段差を上がるところ、（ハ）は上がり框部に腰掛けていた状態から立ち上がるところをそれぞれ示す。
【００２７】
図６（イ）の靴を履く（脱ぐ）動作では、手摺り機能付き玄関収納１の両側にある手摺り部１２のうち玄関の土間床側の手摺り部を握ることで、人は身体を支えることになる。
【００２８】
図６（ロ）の玄関の土間床から玄関ホールの床面へと段差を上がる動作では、手摺り機能付き玄関収納１の両側にある手摺り部１２の一方若しくは両方を順次握り変えて利用することで、段差を上がる動作を安全に確実に行うことができる。
【００２９】
図６（ハ）の上がり框部に腰掛けていた状態から立ち上がる動作では、手摺り機能付き玄関収納１の両側にある手摺り部１２のうち玄関ホールの床面側の手摺り部を握ることで、人は身体を立ち上げる動作を補助し容易に立ち上がることができる。
【００３０】
玄関で人が行う動作について縦型の手摺りを設けることは、不安定な姿勢のときに身体を支える手がかりを設けることであり、高齢者や身体の不自由な人ばかりでなく、健常者や幼年者にとっても必要なことである。
【００３１】
この手摺り機能付き玄関収納では、手摺りという機能を実現するため玄関部に新たな手摺りを設置する必要がなく、玄関部に設けられた収納を相まって意匠的にも玄関部をすっきりとしたものとすることができ、誰でも手摺りの必要性、便利さを認識することができ、かつ意匠性に優れた手摺り機能付き玄関収納を実現できる。
【００３２】
以上に、本発明の実施形態を示したが、本発明はこれに限られるものではなく、発明思想を逸脱しない範囲で各種の変更が可能である。例えば、上記実施形態では、本発明の手摺り機能付き玄関収納を住宅の玄関部に設置した場合を示したが、住宅の勝手口部に設置してもよく、また公共施設等の玄関ホールに設置してもよい。つまり、玄関ホールの語は広く建築物一般の入り口部であり、靴を履く、靴を脱ぐ、上がり框を一段上がる、一段さがる、しゃがみこむ、立ち上がるといった動作が頻繁に行われる場所を意味するものである。
【００３３】
上記の実施形態では、手摺り機能付き玄関収納に傘収納スペースを設け、乾燥した傘を収納することのできる手摺り機能付き玄関収納について示したが、図７に示すように、傘収納スペースを設けず、傘を一時的に吊り下げて乾燥させる吊り治具だけを設け、手摺り機能付き玄関収納自体をコンパクトな形態としてもよい。要するに、手摺り機能付き玄関収納に収納されるものは、手摺り機能付き玄関収納の形態と収納すべきものとの関係で自由に選択されればよい。
【００３４】
また、上記実施形態では、手摺り機能付き玄関収納の両側面から張り出した突起部について、玄関収納本体部の側面部の鉤部と開き戸の端部が一体となって突起部を形成している場合について示したが、玄関収納本体部の側面部の鉤部だけで突起部が形成されていてもよいし、開き戸の端部だけで突起部が形成されていてもよく、要は玄関収納の側面部に上下に渡って人の動作を補助するための握り部となる突起部が形成されていればよい。
【図面の簡単な説明】
【００３５】
【図１】本発明の実施形態である手摺り機能付き玄関収納が設置された玄関を示す斜視図である。
【図２】（イ）は開き戸が閉じた状態の手摺り機能付き玄関収納の断面平面図、（ロ）は開き戸が開いた状態の手摺り機能付き玄関収納の断面平面図である。
【図３】本発明の実施形態を示す手摺り機能付き玄関収納の斜視図である。
【図４】本発明の実施形態である手摺り機能付き玄関収納の手摺部に人が手をかけている状況を示す斜視図である。
【図５】（イ）は手摺り機能付き玄関収納の内部を示す斜視図である。（ロ）は手摺り機能付き玄関収納の内部であって、収納ボックス及び傘の吊り具を展開した状態を示す斜視図である。
【図６】手摺り機能付き玄関収納の使用方法を示す説明図であって、（イ）は人が靴を履く（脱ぐ）ところ、（ロ）は人が玄関の土間床から玄関ホールの床面へと段差を上がるところ、（ハ）は人が上がり框部に腰掛けていた状態から立ち上がるところ、である。
【図７】本発明の他の実施形態である手摺り機能付き玄関収納が設置された玄関を示す斜視図である。
【図８】従来の玄関に設置される縦型手摺りを示す斜視図である。
【符号の説明】
【００３６】
１・・・手摺り機能付き玄関収納
２・・・玄関
３・・・玄関の床面
４・・・土間床
５・・・上がり框
６・・・玄関ドア
７・・・玄関収納本体部
８・・・鉤部
９・・・開き戸
１１・・・玄関の壁面
１２・・・手摺部
１４・・・収納ボックス
１６・・・フック
１８・・・吊り具
【図１】
2008144414.tif 000003
【図２】
2008144414.tif 000004
【図３】
2008144414.tif 000005
【図４】
2008144414.tif 000006
【図５】
2008144414.tif 000007
【図６】
2008144414.tif 000008
【図７】
2008144414.tif 000009
【図８】
2008144414.tif 000010